(57)【要約】      （修正有）【課題】別個の隠されたアンテナを有するタッチペンおよびそのようなタッチペンを有する電子装置を提供する。【解決手段】電子装置はタッチペンを有する。タッチペンはペン筒およびアンテナを備える。ペン筒は中空筒本体および接触端を有する。筒本体は、アンテナを収容するために使用される。さらに、アンテナは固定筒本体および伸縮式筒本体を有する。固定筒本体の内部には電子回路が設けられ、固定筒本体は伸縮式筒本体に電気的に接続される。したがって、タッチペンが電子装置に収容され、電子装置に電気的に接続されているとき、電子装置は、タッチペン内のアンテナを介して無線信号を受信することができる。別法として、アンテナは電子装置内に直接設けられて電子装置に電気的に接続され、それによって電子装置は、タッチペンの使用中に無線信号受信機能を有した状態を保つことができる。【選択図】図５
2008301053.tif 000002
【特許請求の範囲】
【請求項１】
握って電子装置に触れることによって動作する、アンテナを有するタッチペンであって、
中空の金属製筒本体を有するペン筒と、
前記金属製筒本体に脱着可能に接続されるアンテナと、
を備え、
前記アンテナは、前記ペン筒から脱着された後、前記電子装置に収容されて前記電子装置に電気的に接続され、それによって前記電子装置は、前記アンテナを介して無線信号を受信することができる、アンテナを有するタッチペン。
【請求項２】
該タッチペンの前記金属製筒本体の一端は、前記電子装置に触れるための接触端にさらに接続される、請求項１に記載のアンテナを有するタッチペン。
【請求項３】
前記金属製筒本体の底部の内周縁に、前記アンテナに当接するための金属製弾性部が設けられる、請求項１に記載のアンテナを有するタッチペン。
【請求項４】
前記アンテナは前記金属製弾性部に当接し、前記金属製筒本体に電気的に接続される、請求項３に記載のアンテナを有するタッチペン。
【請求項５】
前記アンテナは固定筒本体および伸縮式筒本体を有する、請求項１に記載のアンテナを有するタッチペン。
【請求項６】
前記固定筒本体の内部に電子回路が設けられる、請求項５に記載のアンテナを有するタッチペン。
【請求項７】
前記固定筒本体の一端は接触端をさらに有する、請求項６に記載のアンテナを有するタッチペン。
【請求項８】
前記接触端は金属で作られ、前記固定筒本体内の前記電子回路に電気的に接続される、請求項７に記載のアンテナを有するタッチペン。
【請求項９】
前記伸縮式筒本体の上端はカバーにさらに接続され、前記カバーは前記金属製筒本体の上端に結合する、請求項５に記載のアンテナを有するタッチペン。
【請求項１０】
タッチペンを有する電子装置であって、
収容溝を有する筐体と、
前記収容溝に収容され、該電子装置に電気的に接続されるタッチペンであって、
握って電子装置に触れられるようにする中空の金属製筒本体を有するペン筒、および
前記金属製筒本体に脱着可能に接続されるアンテナ
を含むタッチペンと、
を備え、
前記アンテナは、前記ペン筒から脱着された後、該電子装置に収容されて該電子装置に電気的に接続され、それによって該電子装置は、前記アンテナを介して無線信号を受信することができる、タッチペンを有する電子装置。
【請求項１１】
個人情報端末である、請求項１０に記載のタッチペンを有する電子装置。
【請求項１２】
導電性溝が設けられる、請求項１０に記載のタッチペンを有する電子装置。
【請求項１３】
前記導電性溝は、前記収容溝の位置に対応する位置に配置される、請求項１２に記載のタッチペンを有する電子装置。
【請求項１４】
前記収容溝の内部に突出支柱が設けられ、前記ペン筒の外周縁は前記突出支柱と係合する凹領域を有する、請求項１０に記載のタッチペンを有する電子装置。
【請求項１５】
前記突出支柱の上縁に、該電子装置に電気的に接続するための金属製弾性部が設けられる、請求項１４に記載のタッチペンを有する電子装置。
【請求項１６】
前記収容溝の底部に導電性支柱が設けられ、該導電性支柱は該電子装置に電気的に接続される、請求項１０に記載のタッチペンを有する電子装置。
【請求項１７】
前記金属製筒本体の底部の内周縁に、前記アンテナに当接するための金属製弾性部が設けられる、請求項１０に記載のタッチペンを有する電子装置。
【請求項１８】
前記アンテナは前記金属製弾性部に当接し、前記金属製筒本体に電気的に接続される、請求項１７に記載のタッチペンを有する電子装置。
【請求項１９】
前記アンテナは固定筒本体および伸縮式筒本体を有する、請求項１０に記載のタッチペンを有する電子装置。
【請求項２０】
前記固定筒本体の内部に電気回路が設けられる、請求項１９に記載のタッチペンを有する電子装置。
【請求項２１】
前記固定筒本体の一端は接触端を有する、請求項２０に記載のタッチペンを有する電子装置。
【請求項２２】
前記接触端は金属で作られ、前記固定筒本体内の前記電子回路に電気的に接続される、請求項２１に記載のタッチペンを有する電子装置。
【請求項２３】
前記伸縮式筒本体の上端はカバーにさらに接続され、前記カバーは前記金属製筒本体の上端に結合する、請求項１０に記載のタッチペンを有する電子装置。
【請求項２４】
握って電子装置に触れることによって動作する、アンテナを有するタッチペンであって、
中空の金属製筒本体を有するペン筒と、
前記金属製筒本体に収容されるアンテナと、
を備え、
該タッチペンは前記電子装置に収容されて前記電子装置に電気的に接続され、それによって前記電子装置は前記アンテナを介して無線信号を受信することができる、アンテナを有するタッチペン。
【請求項２５】
前記金属製筒本体の一端は、接触端にさらに接続される、請求項２４に記載のアンテナを有するタッチペン。
【請求項２６】
前記金属製筒本体の底部の内周縁に、前記アンテナに当接するための金属製弾性部が設けられる、請求項２４に記載のアンテナを有するタッチペン。
【請求項２７】
前記アンテナは前記金属製弾性部に当接し、前記金属製筒本体に電気的に接続される、請求項２６に記載のアンテナを有するタッチペン。
【請求項２８】
前記アンテナは固定筒本体および伸縮式筒本体を有する、請求項２４に記載のアンテナを有するタッチペン。
【請求項２９】
前記固定筒本体の内部に電子回路が設けられる、請求項２８に記載のアンテナを有するタッチペン。
【請求項３０】
前記固定筒本体の一端は接触端にさらに接続される、請求項２９に記載のアンテナを有するタッチペン。
【請求項３１】
前記接触端は金属で作られ、前記固定筒本体内の前記電子回路に電気的に接続される、請求項３０に記載のアンテナを有するタッチペン。
【請求項３２】
前記伸縮式筒本体の上端はカバーにさらに接続され、前記カバーは前記金属製筒本体の上端に結合される、請求項２８に記載のアンテナを有するタッチペン。
【発明の詳細な説明】
【技術分野】
【０００１】
本発明は電子タッチペンに関し、特にアンテナを有する電子タッチペンに関する。
【背景技術】
【０００２】
近代の科学および技術の進歩により、コンピュータ業界の発展が推進されている。今までのところ、コンピュータハードウェアは業界および商業において重要な役割を果たすだけでなく、多様性および小型化により日常生活の優良な補佐役になっている。インターネットの向上および発展は実に、コンピュータを生活のエンターテイメントの重要な部分にしている。インターネットは情報を世界中のどこにでも伝送できるため、コンピュータを家庭で使用することによって各種情報を受信することができる。インターネットを介して、種々の映画またはテレビ番組を見ることさえできる。
【０００３】
そして、無線信号技術の発展により、インターネットの能力が略無限に向上している。そのため、無線信号の伝送を利用して、コンピュータとして機能する携帯電子装置を使用して、屋内または屋外でインターネットにアクセスし、または映像／音声情報を受信することができる。ハードウェアおよびソフトウェアのサポートの他に、携帯コンピュータ装置での完全な無線信号受信を促すために、無線信号を受信するためのアンテナを設ける必要がある。
【０００４】
無線信号技術の発展は非常に速いため、普及している個人情報端末等の、コンピュータの機能を有する一般的な携帯電子装置にアンテナは設けられていない。そのため、個人情報端末による無線信号の受信を支援するために、追加のアンテナ装置を設ける必要がある。しかし、そのような追加のアンテナを携帯することは不便である。さらに、ユーザは、携帯装置の仕様に応じて異なる種類のアンテナを購入する必要がある場合があり、これはユーザにとってさらなる面倒を生じさせる。
【０００５】
最近の従来の携帯個人情報端末では、追加のアンテナに起因する問題を解消するために、特に隠されたアンテナが設けられ、それによってアンテナを外部に設けることに起因する不便さを解消している。しかし、個人情報端末の構造は限られ、かつアンテナの性質および仕様は異なっており、個人情報端末に各種信号を受信するためのアンテナをさらに設けることができない。したがって、個人情報端末が無線信号を容易かつ都合よく受信できるようにする別の解決策を見つける必要がある。
【発明の開示】
【発明が解決しようとする課題】
【０００６】
本発明は、別個の隠されたアンテナを有するタッチペンおよびそのようなタッチペンを有する電子装置を提供するものである。電子装置の画面に触れるために使用されるタッチペンにアンテナが設けられる。アンテナは隠され、タッチペンの使用中、電子装置と電気的に接続するように分離可能であり、それによって電子装置が無線信号受信機能を有する状態に保つ。
【課題を解決するための手段】
【０００７】
上記目的を達成するために、本発明は、アンテナを有するタッチペンおよびタッチペンを有する電子装置を提供する。タッチペンは、ペン筒およびアンテナを含む。ペン筒は中空筒本体および接触端を有する。筒本体は、アンテナを収容するために使用される。さらに、アンテナは固定筒本体および伸縮式筒本体を有する。固定筒本体の内部には電子回路が設けられ、固定筒本体は伸縮式筒本体に電気的に接続される。したがって、タッチペンが電子装置内に収容され、電子装置に電気的に接続されているとき、電子装置はタッチペン内のアンテナを介して無線信号を受信することができる。別法として、アンテナは電子装置内に直接設けられて電子装置に電気的に接続され、それによって電子装置が、タッチペンの使用中に無線信号受信機能を有する状態を維持できるようにする。
【発明を実施するための最良の形態】
【０００８】
本発明の技術的内容について添付図面を参照しながら説明する。
【０００９】
図１および図２はそれぞれ、本発明の分解組立斜視図および組立後の図である。本発明のタッチペン１がペン筒１１およびアンテナ１２を含むことが分かる。ペン筒１１は接触端１１１および筒本体１１２を有する。接触端１１１は、電子装置の画面に触れるために使用される。筒本体１１２は、アンテナ１２を収容するために使用される中空の金属製筒である。筒本体１１２の底部の内周縁に、金属製弾性部３が設けられる。本実施形態では、複数の金属弾性部がある。さらに、アンテナ１２がロッド様の形状に形成されて無線信号を受信する。アンテナ１２は、固定筒本体１２１および伸縮式筒本体１２２を有する。固定筒本体１２１の内部には電子回路４が設けられる。固定筒本体１２１および伸縮式筒本体１２２は互いに電気的に接続され、それによって無線信号受信領域を形成する。さらに、固定筒本体１２１の前端には接触端１２３がある。接触端１２３は金属で作られ、内部電子回路４に電気的に接続される。伸縮式筒１２２の上部は、カバー１２４に接続される。アンテナ１２が中空筒本体１１２中に収容された後、カバー１２４は中空筒本体１１２の上部に接続され、それによってアンテナ１２の位置をペン筒１１に対して固定する。さらに、アンテナ１２が筒本体１１２中に収容された後、アンテナ１２の接触端１２３は筒本体１１２に設けられた金属弾性部３に密着し、それによってアンテナ１２に設けられた電子回路４を筒本体１１２に電気的に接続することができる。本発明の完全な組立体を図２に示す。
【００１０】
図３は本発明の動作を示す概略図であり、図４は本発明の部分拡大図である。図３に示すように、本発明のタッチペン１は、タッチペン１を握って電子装置５に触れることによって動作することができる。本実施形態では、電子装置５は個人情報端末であり、電子装置５の筐体の背面に収容溝５１が設けられる。収容溝５１の内周縁には突出支柱５１１が設けられる。突出支柱５１１の上端には、複数の金属製弾性部３ａおよび３ｂが設けられる。金属製弾性部３ａおよび３ｂは、電子装置５に電気的に接続される。さらに、収容溝５１の底部には導電性支柱５１２が設けられる。このため、タッチペン１が収容溝５１に収容され、所定の位置に配置されているとき、突出支柱５１１は、ペン筒１１の接触端１１１と筒本体１１２との間に形成される凹領域１２５にぴったりと係合し、それによって収容溝５１においてタッチペン１の位置を固定する。さらに、突出支柱５１１の上端に設けられた複数の金属製弾性部３ａおよび３ｂが、筒本体１１２の外面に共同して当接し、それによって筒本体１１２内のアンテナ１２が、筒本体１１２ならびに金属製弾性部３ａおよび３ｂを介して電子装置５に電気的に接続される。その結果として、電子装置５は、タッチペン１内のアンテナ１２を介して無線信号を受信することができる。
【００１１】
図５を参照すると、図５は本発明の別の動作を示す概略図である。ユーザは、タッチペン１を使用して電子装置５を動作させようと意図するとき、筒本体１１２からアンテナ１２を引き出すことができることが分かる。次いで、伸縮式筒本体１２２を伸ばした後、アンテナ１２は、アンテナ１２の接触端１２３が収容溝５１の底部の導電性支柱５１２に電気的に接続された状態で収容溝５１に収容される。このようにして、ユーザがタッチペン１のペン筒１１を使用して電子装置５を動作させると、電子装置５は、アンテナ１２を介して受信領域内の無線信号を受信することができる。したがって、ユーザは電子装置５を使用して、無線インターネットリソースを受信し、または信号を送受信することができる。
【００１２】
図６を参照すると、図６は本発明の別の実施形態の動作を示す概略図である。図に示すように、電子装置５（本実施形態では、たとえば個人情報端末）の一端に、導電性溝５２が設けられる。本実施形態では、導電性溝５２は、収容溝４１の位置に対応する位置に設けられる。導電性溝５２は、電子装置５の内部回路に電気的に接続される。ユーザは、タッチペン１を使用して電子装置５を動作させようと意図するとき、アンテナ１２を筒本体１１１から引き出してアンテナの伸縮式筒本体１２２を伸ばすことができる。次いで、アンテナ１２の接触端１２３が電子装置５の導電性溝５２に配置される。本実施形態では、アンテナ１２は導電性溝５２に接触するように螺合され、したがってアンテナ１２に電気的に接続される。その結果として、電子装置５はアンテナ１２を介して無線信号を受信し、それによって無線インターネット資源を利用し、または他の信号を受信することができる。
【００１３】
本発明について上記好ましい実施形態を参照して説明したが、本発明がその詳細に限定されないことが理解されよう。本発明の教示に鑑みて、種々の等価の変形および変更が当業者により想到され得る。したがって、このような変形および等価の変更もすべて、添付の特許請求の範囲に規定される本発明の範囲内に包含される。
【図面の簡単な説明】
【００１４】
【図１】本発明の構造を示す分解組立斜視図である。
【図２】本発明の組立後の図である。
【図３】本発明の動作を示す概略図（Ｉ）である。
【図４】本発明の部分拡大図である。
【図５】本発明の動作を示す概略図（ＩＩ）である。
【図６】本発明の別の実施形態の動作を示す概略図である。
【符号の説明】
【００１５】
１  タッチペン
３、３ａ、３ｂ  金属製弾性部
４  電子回路
５  電子装置
１１  ペン筒
１２  アンテナ
５１  収容溝
５２  導電性溝
１１１  接触端
１１２  筒本体
１２１  固定筒本体
１２２  伸縮式筒本体
１２３  接触端
１２４  カバー
１２５  凹領域
５１１  突出支柱
５１２  導電性支柱
【図１】
2008301053.tif 000003
【図２】
2008301053.tif 000004
【図３】
2008301053.tif 000005
【図４】
2008301053.tif 000006
【図５】
2008301053.tif 000007
【図６】
2008301053.tif 000008